(57)【要約】【課題】番号表示機等にカバーを設ける必要がなく、他人に暗証番号を認識され難く、従来の暗証番号そのものが他人に知られても他人にＡＴＭ等の操作が可能となることがない暗証番号入力装置及び入力方法を提供する。【解決手段】暗証番号を記憶する記憶部４と、入力キー１と、入力キー１が押下されている時間を計測する入力タイミング計測部２と、入力タイミング計測部２で計測された時間を番号に変換する入力タイミング対応表部３と、入力タイミング対応表部３において変換された番号と、記憶部４に記憶された暗証番号とが一致する場合には、その旨の情報を出力する判定部５とを備える暗証番号入力装置。暗証番号を記憶し、入力キーが押下されている時間を計測し、計測された時間を番号に変換し、変換された番号と、前記記憶された暗証番号とが一致する場合には、その旨の情報を出力する暗証番号入力方法。【選択図】　図１
2004100356.tif 000002
【特許請求の範囲】
【請求項１】
暗証番号を記憶する記憶部と、
入力キーと、
該入力キーが押下されている時間を計測する入力タイミング計測部と、
該入力タイミング計測部で計測された時間を番号に変換する入力タイミング対応表部と、
該入力タイミング対応表部において変換された番号と、前記記憶部に記憶された暗証番号とが一致する場合には、その旨の情報を出力する判定部とを備えることを特徴とする暗証番号入力装置。
【請求項２】
暗証番号を記憶する記憶部と、
複数の入力キーと、
該複数の入力キーのいずれかが押下されている時間を計測する入力タイミング計測部と、
該入力タイミング計測部で計測された時間を番号に変換する入力タイミング対応表部と、
前記複数の入力キーからの入力情報と前記入力タイミング対応表部において変換された番号とから構成される入力暗証番号と、前記記憶部に記憶された暗証番号とが一致する場合には、その旨の情報を出力する判定部とを備えることを特徴とする暗証番号入力装置。
【請求項３】
暗証番号を記憶し、
入力キーが押下されている時間を計測し、
該計測された時間を番号に変換し、
該変換された番号と、前記記憶された暗証番号とが一致する場合には、その旨の情報を出力することを特徴とする暗証番号入力方法。
【請求項４】
暗証番号を記憶し、
複数の入力キーからの入力情報と、入力キーが押下されている時間を番号に変換して得られた番号情報から入力暗証番号を作成し、
該入力暗証番号と、前記記憶された暗証番号とが一致する場合には、その旨の情報を出力することを特徴とする暗証番号入力方法。
【発明の詳細な説明】
【０００１】
【発明の属する技術分野】
本発明は、暗証番号入力装置及び方法に関し、特に、貸し金庫、ＡＴＭ等において本人であることを証明するために入力する暗証番号の入力装置及び入力方法に関する。
【０００２】
【従来の技術】
貸し金庫、ＡＴＭ等においては、本人であることを証明するため、通常４桁の暗証番号を入力し、予め装置に記憶されている番号と同一の場合に貸し金庫を開錠することができたり、ＡＴＭで銀行口座に関する操作をすることができるように構成されている。
【０００３】
暗証番号の入力は、公の場で行われるが、近年、暗証番号の入力時に番号の盗難を阻止すること、及び盗まれても他人の使用を阻止するシステムが要求されている。例えば、暗証番号入力の際、図２に示すような番号表示機を利用する際に、他人から入力状態が見られないようにカバーをかけることが提案されている。これによって、固定配列された番号表示機を指により入力する際に他人から見られないようしている。
【０００４】
しかし、このようなカバーを設けても、番号表示機上の番号が固定配列になっているので、暗証番号入力時に周りの人の目視による番号表示機の入力した位置での推測が可能であり、番号表示機に暗証番号を入力する時に他人に暗証番号を認識されやすいという問題があった。
【０００５】
また、暗証番号入力時に暗証番号が盗まれなくても、番号表示機上の番号が固定配列になっているので、暗証番号入力時の番号表示機上の指紋、手の油等により、利用者が立ち去った後、入力した暗証番号を検出されてしまうという問題があった。
【０００６】
さらに、暗証番号が他人に知られた場合には、その番号のみで他人にＡＴＭでの操作が可能となってしまうという問題があった。
【０００７】
また、カバーを設置するためのコストが必要になるとともに、カバーが存在することによって、暗証番号入力時にカバーに手が当たる等して、カバーが邪魔になり、暗証番号を正確に入力することができない場合があるという問題があった。
【０００８】
このような問題点に鑑み、例えば、特開２０００−２６５７１９号公報に記載の暗証番号入力方式では、暗証番号を入力する際に、キーボタンを押し続ける時間、現在押したキー番号から次のキーを押すまでの時間等の時間的概念を条件の１つとして追加することにより、従来に比較し、少ない番号や、記号の入力で守秘性を向上させている。すなわち、この方法では、特定キーが押された場合には、ＣＰＵが特定キー操作タイム判定手段によりそのキーが押されている時間をカウントし、開錠データベースに規定しているデータ（例えば１秒以上）条件を満たしているか否かを判定し、次の特定キーが押されるまでの時間間隔をカウントし、同様に開錠データベースを満たしているか否かを判定する。これによって、特定キーの入力手順の他に、時間的条件を暗証番号入力条件としてドア鍵システム部を開錠することにより、少ない入力桁数で、守秘性を向上させている。
【０００９】
一方、特開２０００−１９４６５８号公報に記載の暗証番号照合装置、暗証番号照合方法及び暗証番号照合用プログラムを記録した記録媒体では、暗証番号の入力操作だけで暗証番号のみによる認証より高いセキュリティを保証するため、暗証番号と、暗証番号の各桁を入力するためにキーが押下される時間とを予め記憶手段に記憶し、暗証番号照合手段は、入力装置より入力された暗証番号が記憶手段に記憶された暗証番号と一致するかどうかを判断し、一致しないと判断された場合にその旨の情報を出力する。また、入力リズム照合手段は、入力装置より暗証番号が入力された際に暗証番号の各桁を入力するためにキーが押下されていた時間が記憶手段に記憶された各桁毎の時間と一致するか否かを判断し、一致しないと判断された場合にその旨の情報を出力する。
【００１０】
【発明が解決しようとする課題】
しかし、上記公報に記載された暗証番号入力方式等においては、暗証番号を入力する利用者等が、暗証番号を入力する際に、特定のキーを押下する時間や、次の特定キーが押されるまでの時間間隔を記憶していなければ、正確に暗証番号そのものを入力しても、特定のキーを押下する時間等が不正確であると、貸し金庫を開錠したり、ＡＴＭで銀行口座に関する操作をすることができないという問題点があった。
【００１１】
そこで、本発明は、上記従来の技術における問題点に鑑みてなされたものであって、特定のキーを押下する時間や、次の特定キーが押されるまでの時間間隔を記憶することが不要で、番号表示機等にカバーを設ける必要がなく、他人に暗証番号を認識され難く、従来の暗証番号そのものが他人に知られても他人にＡＴＭ等の操作が可能となることがない等の特長を備えた暗証番号入力装置及び入力方法を提供することを目的とする。
【００１２】
【課題を解決するための手段】
上記目的を達成するため、請求項１記載の発明は、暗証番号入力装置であって、暗証番号を記憶する記憶部と、入力キーと、該入力キーが押下されている時間を計測する入力タイミング計測部と、該入力タイミング計測部で計測された時間を番号に変換する入力タイミング対応表部と、該入力タイミング対応表部において変換された番号と、前記記憶部に記憶された暗証番号とが一致する場合には、その旨の情報を出力する判定部とを備えることを特徴とする。
【００１３】
そして、請求項１記載の発明によれば、入力キーが押下されている時間を計測して番号に変換し、変換された番号と、記憶された暗証番号とが一致する場合には、その旨の情報を出力するように構成したため、暗証番号を入力する利用者等が、暗証番号を入力する際に、特定のキーを押下する時間や、次の特定キーが押されるまでの時間間隔等を記憶する必要がなく、従来のような番号表示機等による番号の直接入力ではないため、入力キーにカバーを設ける必要がなく、他人に暗証番号を認識され難い。
【００１４】
請求項２記載の発明は、暗証番号入力装置であって、暗証番号を記憶する記憶部と、複数の入力キーと、該複数の入力キーのいずれかが押下されている時間を計測する入力タイミング計測部と、該入力タイミング計測部で計測された時間を番号に変換する入力タイミング対応表部と、前記複数の入力キーからの入力情報と前記入力タイミング対応表部において変換された番号とから構成される入力暗証番号と、前記記憶部に記憶された暗証番号とが一致する場合には、その旨の情報を出力する判定部とを備えることを特徴とする。
【００１５】
請求項２記載の発明によれば、複数の入力キーからの入力情報と、入力キーが押下されている時間を番号に変換して得られた番号情報から入力暗証番号を作成して記憶された暗証番号とが一致する場合には、その旨の情報を出力するように構成したため、暗証番号を入力する利用者等が、暗証番号を入力する際に、特定のキーを押下する時間や、次の特定キーが押されるまでの時間間隔等を記憶する必要がなく、従来のような番号表示機等による番号の直接入力に加え、入力キーが押下されている時間から変換した番号を入力暗証番号とするため、入力キーにカバーを設ける必要がなく、他人に暗証番号を認識され難い。さらに、従来の暗証番号そのものが他人に知られた場合でも、入力キーが押下されている時間から変換した番号は他人に知られ難いため、他人によるＡＴＭ等の操作が可能となることがない。また、入力キーからの直接入力による入力と、入力キーが押下されている時間の両方を入力暗証番号の作成に使用するため、入力キーからの直接入力による暗証番号のケタ数を減らしても、全体の組み合わせとしては従来と同等の組み合わせによる入力が可能となり、暗記しにくい暗証番号自体のケタ数を減らすことも可能となる。
【００１６】
請求項３記載の発明は、暗証番号入力方法であって、暗証番号を記憶し、入力キーが押下されている時間を計測し、該計測された時間を番号に変換し、該変換された番号と、前記記憶された暗証番号とが一致する場合には、その旨の情報を出力することを特徴とする。これによって、請求項１と同様の作用効果を奏する。
【００１７】
請求項４記載の発明は、暗証番号入力方法であって、暗証番号を記憶し、複数の入力キーからの入力情報と、入力キーが押下されている時間を番号に変換して得られた番号情報から入力暗証番号を作成し、該入力暗証番号と、前記記憶された暗証番号とが一致する場合には、その旨の情報を出力することを特徴とする。これによって、請求項２と同様の作用効果を奏する。
【００１８】
【発明の実施の形態】
次に、本発明の実施の形態について図面を参照しながら説明する。
【００１９】
図１は、本発明にかかる暗証番号入力装置の一実施の形態を示し、この暗証番号入力装置は、大別して、入力キー１と、入力タイミング計測部２と、入力タイミング対応表部３と、記憶部４と、判定部５とで構成される。
【００２０】
入力キー１は、図２に示すように、１から９までの数字を選択することができるように複数設けられる。
【００２１】
入力タイミング計測部２は、入力キー１が押下されている時間を計測する。入力キー１を押下している間は回路６に電流が流れ、入力タイミング計測部２では、その電流の流れている時間で、使用者が入力キー１を押している時間を計測する。
【００２２】
入力タイミング対応表部３は、入力タイミング計測部２で計測された時間を番号に変換する。例えば、入力タイミング計測部２で計測された電流の流れている時間が１秒以内の場合には、“０“、１秒以上であれば”１“と判定する。
【００２３】
記憶部４は、予め、暗証番号入力装置の利用者毎の暗証番号を記憶する。
【００２４】
判定部５は、入力タイミング対応表部３において変換された番号と、記憶部４に記憶された暗証番号とが一致する場合には、その旨の情報を出力し、例えば、貸金庫の開錠信号を発信する。
【００２５】
次に、上記構成を有する暗証番号入力装置の動作について、図１及び図２を参照しながら説明する。
【００２６】
利用者が入力暗証番号を入力する前に、予め記憶部４には、利用者の暗証番号が記憶される。ここでは、例えば、”１２３４”という暗証番号が記憶されているものとする。
【００２７】
利用者は、入力キー１を押下して暗証番号を入力する。ここで、利用者は、従来では、入力キー１を押下して、”１”、”２”、”３”、”４”と入力することにより暗証番号を入力することができるが、本発明では、例えば、”１”、”２”、”３”は、従来どおり入力し、最終桁については、以下の要領で入力する。
【００２８】
図２に示した１〜９のどの入力キー１を押下した場合でも、入力タイミング計測部２によって計測された時間が１秒以内の場合には、“０“、１秒以上であれば”１“と入力タイミング対応表部３において判定し、“０“が続いた回数を最終桁の数値とする。例えば、“０“、“０“、“０“、“０“、“１“と押下した場合には、入力タイミング対応表部３において”４”が押下されたものとする。
【００２９】
以上によって、利用者は、”１”、”２”、”３”、”４”と入力したものとして、判定部５において、この入力暗証番号”１２３４”と、記憶部４に記憶された暗証番号”１２３４”とを比較し、これらは一致しているため、その旨の情報を出力する。これによって、例えば、貸金庫の開錠信号を発信する。
【００３０】
尚、上記実施の形態においては、４桁の暗証番号のうち、最初の３桁を従来どおり入力し、４桁目を入力キー１を押下した時間によって入力する場合について説明したが、４桁の暗証番号のすべてを押下する入力キー１の種類に拘わらず、いずれかの入力キー１を押下した時間によって入力するようにしてもよい。また、４桁の暗証番号を従来どおり入力した後、さらに数桁をいずれかの入力キー１を押下した時間によって入力するようにしてもよい。
【００３１】
また、上記入力キー１のように押下することによりオンとなるキーボードではなく、触れるだけで反応するタッチパネルであっても本発明を適用することができることはもちろんである。
【００３２】
以上のように、本発明では、従来技術の説明において示した特許公報に記載された暗証番号入力方式等のように、特定のキーを押下する時間や、次の特定キーが押されるまでの時間間隔を記憶するのではなく、利用者は、従来のように暗証番号だけを記憶し、暗証番号を入力する際に、入力キーを押下する時間を利用するに過ぎないため、利用者に過度の負担を掛けることはない。
【００３３】
また、入力キーを押下する場面を他人に見られていた場合でも、押下している時間から番号を推測することは極めて困難であるため、番号表示機等にカバーを設ける必要もなく、他人に暗証番号を認識され難くなり、従来の暗証番号そのものが他人に知られても他人にＡＴＭ等の操作が可能となることがない。
【００３４】
さらに、入力キーを押下する時間を利用することにより上述の効果を奏するため、暗証番号の全体の桁数を従来よりも少なくした場合でも、安全性が高く、利用者にとっても暗証番号を記憶する労力が軽減されることとなる。
【００３５】
【発明の効果】
以上説明したように、本発明によれば、特定のキーを押下する時間や、次の特定キーが押されるまでの時間間隔を記憶することが不要で、番号表示機等にカバーを設ける必要がなく、他人に暗証番号を認識され難く、従来の暗証番号そのものが他人に知られても他人にＡＴＭ等の操作が可能となることのない暗証番号入力装置及び入力方法を提供することができる。
【図面の簡単な説明】
【図１】本発明にかかる暗証番号入力装置の一実施の形態を示す概略図である。
【図２】従来の暗証番号入力装置の番号表示機の一例を示す概略図である。
【符号の説明】
１　　　　入力キー
２　　　　入力タイミング計測部
３　　　　入力タイミング対応表部
４　　　　記憶部
５　　　　判定部
６　　　　回路
【図１】
2004100356.tif 000003
【図２】
2004100356.tif 000004